(57)【要約】【課題】本発明は、通話中に画像データを送受信するＩＰ電話装置に関する。【解決手段】ＩＰ電話装置１は、通話中に外部接続ポートインターフェース７に接続されたタブレットで表示部５のタッチパネルを利用して描いた図の画像データ、マウスを使用して描いた図の画像データ、あるいは、外部接続ポートインターフェース７にＵＳＢ、パラレルケーブル、無線等で接続されたデジタルスチルカメラ、カメラ付き携帯電話等の撮影機能を有する装置から取り込んだ画像データ、外部接続ポートインターフェース７に挿入されたフラッシュメモリ等の記憶媒体等から画像データを取り込んでＲＡＭ３に保存し、その後、ＲＡＭ３から当該画像データを読み出して、通話中の相手先にパケット送信する。【選択図】          図１
2006303759.tif 000002
【特許請求の範囲】
【請求項１】
音声データをパケット化して送受信して通話を行うＩＰ電話装置において、画像を作成する画像作成手段を備え、前記通話中に当該画像作成手段で作成された画像の画像データを、当該通話中に当該通話の相手先に送信し、相手先からの画像データを受信することを特徴とするＩＰ電話装置。
【請求項２】
音声データをパケット化して送受信して通話を行うＩＰ電話装置において、映像を撮影する映像撮影装置または画像データを記憶する記憶媒体から画像データを取得する画像データ取得手段を備え、前記通話中に前記画像データ取得手段によって前記映像撮影装置または前記記憶媒体から画像データを取得して、当該取得した画像データを、当該通話中に当該通話の相手先に送信し、相手先からの画像データを受信することを特徴とするＩＰ電話装置。
【請求項３】
前記ＩＰ電話装置は、画像データを蓄積する画像データ蓄積手段を備え、前記通話中に送受信した画像データを当該画像データ蓄積手段に蓄積することを特徴とする請求項１または請求項２のいずれかに記載のＩＰ電話装置。
【請求項４】
前記ＩＰ電話装置は、前記画像データを所定の暗号化方式で暗号化して前記画像データ蓄積手段に蓄積することを特徴とする請求項３記載のＩＰ電話装置。
【発明の詳細な説明】
【技術分野】
【０００１】
本発明は、ＩＰ電話装置に関し、詳細には、通話中に描かれた画像や外部から取得した画像の画像データを当該通話中に送受信するＩＰ電話装置に関する。
【背景技術】
【０００２】
ＡＤＳＬ（Asymmetric Digital Subscriber Line）、ＦＴＴＨ（Fiber To The Home）、ケーブルネットを使用するブロードバンドサービスが普及し、それに伴いＩＰ（Internet Protocol）ネットワークを使用して、音声を流すＩＰ（Internet Protocol）電話が普及しつつある（特許文献１等参照）。
【０００３】
ＩＰ電話は、ＶｏＩＰ（Voice over IP ）と呼ばれるＩＰネットワーク上で音声通話を実現する技術を使用しており、現在ではＨ．３２３と呼ばれる通信規約がＩＴＵ−Ｔで標準勧告されている。また、ＩＥＴＦ（Internet Engineering Task Force）によりＳＩＰ（Session Initiation Protocol）と呼ばれる別のプロトコルを規定している。
【０００４】
ＩＰ電話は、公衆回線を使用する電話に比較して、通信費が安価であり、また、ＩＰ電話アダプタを使用することで、従来の公衆回線用の電話を使用することができる。
【０００５】
ＩＰ電話アダプタは、ＶｏＩＰ機能を搭載し、ＩＰネットワークを用いた音声通話を実現するとともに、公衆回線を使用した電話を切り換えて使用することができ、これらの切換は電話機から行うことができる。
【０００６】
また、このＩＰネットワークを利用したファクシミリ通信を行う技術が、従来から種々提案されている（特許文献２、特許文献３等参照）。
【０００７】
【特許文献１】特開２００３−２１８９８７号公報
【特許文献２】特開２００２−１０１２５６号公報
【特許文献３】特開２００２−３３５３６８号公報
【発明の開示】
【発明が解決しようとする課題】
【０００８】
しかしながら、ＩＰ電話は、ＩＰネットワーク上で音声通話を実現する技術であり、従来、画像データを同時に送受信することが行われておらず、利用性を向上させる上で改良の必要があった。例えば、ＩＰ電話で通話中に音声だけでは、相手先に伝えにくい内容であっても、画像を送ることで、内容を容易に伝えることのできる場合に、ＩＰ電話では、従来、音声のみを取り扱っていたため、利用性が悪いという問題があった。
【０００９】
そこで、本発明は、音声データだけでなく、通話中に描かれた画像の画像データや外部から取得した画像データを送受信し、利用性の良好なＩＰ電話装置を提供することを目的としている。
【課題を解決するための手段】
【００１０】
請求項１記載の発明のＩＰ電話装置は、音声データをパケット化して送受信して通話を行うＩＰ電話装置において、画像を作成する画像作成手段を備え、前記通話中に当該画像作成手段で作成された画像の画像データを、当該通話中に当該通話の相手先に送信し、相手先からの画像データを受信することにより、上記目的を達成している。
【００１１】
請求項２記載の発明のＩＰ電話装置は、音声データをパケット化して送受信して通話を行うＩＰ電話装置において、映像を撮影する映像撮影装置または画像データを記憶する記憶媒体から画像データを取得する画像データ取得手段を備え、前記通話中に前記画像データ取得手段によって前記映像撮影装置または前記記憶媒体から画像データを取得して、当該取得した画像データを、当該通話中に当該通話の相手先に送信し、相手先からの画像データを受信することにより、上記目的を達成している。
【００１２】
上記各場合において、例えば、請求項３に記載するように、前記ＩＰ電話装置は、画像データを蓄積する画像データ蓄積手段を備え、前記通話中に送受信した画像データを当該画像データ蓄積手段に蓄積するものであってもよい。
【００１３】
また、例えば、請求項４に記載するように、前記ＩＰ電話装置は、前記画像データを所定の暗号化方式で暗号化して前記画像データ蓄積手段に蓄積するものであってもよい。
【発明の効果】
【００１４】
本発明のＩＰ電話装置によれば、相手先との通話中に、音声データだけでなく、通話中に描かれた画像の画像データや映像撮影装置または記憶媒体から取得した画像データを、当該相手先のＩＰ電話装置との間で送受信するので、例えば、ＩＰ電話で通話中に音声だけでは、相手先に伝えにくい内容であっても、画像データを送受信することで、内容を容易に伝えることができ、利用性を向上させることができる。
【発明を実施するための最良の形態】
【００１５】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００１６】
図１及び図２は、本発明のＩＰ電話装置の一実施例を示す図であり、図１は、本発明のＩＰ電話装置の一実施例を適用したＩＰ電話装置１の概略ブロック構成図である。
【００１７】
図１において、ＩＰ電話装置１は、ＩＰ電話基幹部２、ＲＡＭ（Random Access Memory）３、ＨＤＤ（ハードディスク）４、表示部５、暗号化部６及び外部接続ポートインターフェース７等を備えており、主要各部は、バス８で接続されている。
【００１８】
外部接続ポートインターフェース（画像取得手段）７は、タブレット、マウス等の外部入力装置（画像作成手段）１０及びデジタルスチルカメラ本体（撮影装置）やデジタルスチルカメラで使用されているフラッシュメモリ等の記憶媒体等をＵＳＢ（Universal Serial Bus）、パラレルケーブル、無線等で接続する。
【００１９】
表示部５は、タブレットと対となっているタッチパネル付きのＬＣＤ（Liquid Crystal Display）等が用いられており、外部入力装置１０から入力された各種データやＩＰ電話装置１からユーザに通知する各種情報を表示出力する。
【００２０】
ＲＡＭ３は、画像データ等のデータを一時的に記憶し、ＨＤＤ（画像データ蓄積手段）４は、画像データ等を蓄積する。
【００２１】
ＩＰ電話基幹部２は、ＩＰ電話装置１としての主要各部を総称したものであり、ＩＰネットワークに接続して、ＩＰ電話としての機能を実行する。
【００２２】
暗号化部６は、ＨＤＤ４に蓄積する画像データを所定の暗号化方式（既存の暗号化方式を用いることができる）で暗号化し、ＨＤＤ４内の画像データの機密性を確保する。
【００２３】
次に、本実施例の作用を説明する。本実施例のＩＰ電話装置１は、通話前や通話中に画像を取り込んで、通話中に当該画像データを送受信するところにその特徴がある。
【００２４】
ＩＰ電話装置１は、通常のＩＰ電話装置と同様に、相手先に発呼して、あるいは、相手先からの呼出に応じて、音声による通話を行うことができる。
【００２５】
そして、ＩＰ電話装置１は、通話中に、音声データとともに画像データを送受信することができる。
【００２６】
すなわち、ＩＰ電話装置１は、通話中、または、前もって、外部接続ポートインターフェース７に接続されたタブレットで表示部５のタッチパネルを利用して描かれた図の画像データ、マウスを使用して描かれた図の画像データ、あるいは、外部接続ポートインターフェース７にＵＳＢ、パラレルケーブル、無線等で接続されたデジタルスチルカメラ、カメラ付き携帯電話等の撮影機能を有する装置から取り込んだ画像データ、外部接続ポートインターフェース７に挿入された撮影装置で撮影された画像データを記憶するフラッシュメモリ等の記憶媒体等から画像データを取り込んでＲＡＭ３に保存し、その後、ＲＡＭ３から当該画像データを読み出して、相手先にパケット送信する。
【００２７】
すなわち、ＩＰ電話装置１は、ＩＰ電話装置１のユーザが電話をかける場合には、図２に示すように、ダイヤルして、相手先が電話にでると、接続を確立して、通常のＩＰ電話装置と同様に、音声データの送受信を行って、通話を行い（ステップＳ１０１）、この通話の途中で、画像データの送信を行うかチェックする（ステップＳ１０２）。
【００２８】
ステップＳ１０２で、画像データの送信を行うことなく、音声通話を終了するときには、ＩＰ電話装置１は、通常のように、通話の終了処理を行う（ステップＳ１０３）。
【００２９】
ステップＳ１０２で、画像データを送信する場合には、ＩＰ電話装置１は、外部接続ポートインターフェース７に接続されたタブレットで表示部５のタッチパネルを利用して描かれた図の画像データ、マウスを使用して描かれた図の画像データ、あるいは、外部接続ポートインターフェース７にＵＳＢ、パラレルケーブル、無線等で接続されたデジタルスチルカメラ、カメラ付き携帯電話等の撮影機能を有する装置から取り込んだ画像データ、外部接続ポートインターフェース７に挿入された撮影装置で撮影された画像データを記憶するフラッシュメモリ等の記憶媒体等から画像データを取り込み（ステップＳ１０４）、取り込んだ画像データを一旦ＲＡＭ３に保存する（ステップＳ１０５）。ＩＰ電話装置１は、ＲＡＭ３に保存した画像データを通話中に当該相手先に送信し、相手先のＩＰ電話装置は、当該受信した画像データを表示部に表示する（ステップＳ１０６）。なお、画像データ取り込みにおいて、外部接続ポートインターフェース７に接続されたフラッシュメモリ等の記憶媒体から画像データを取り込むときには、ＲＡＭ３に保存することなく、当該記憶媒体から直接送信を行うようにしてもよい。
【００３０】
その後、通話を終了すると（ステップＳ１０３）、ＩＰ電話装置１は、通話で使用した画像を保存するかの問い合わせを表示部５に行って、画像データの保存が選択されたかチェックし（ステップＳ１０７）、保存が選択操作されないときには、そのまま処理を終了する。また、ステップＳ１０７で、画像データの保存が選択されると、ＩＰ電話装置１は、暗号化部６によって画像データを所定の暗号化方式で暗号化して、機密を確保し（ステップＳ１０８）、その後、ＨＤＤ４または外部接続ポートインターフェース７に接続されているフラッシュメモリ等の記憶媒体に画像データを保存した後、処理を終了する（ステップＳ１０９）。
【００３１】
このように、本実施例のＩＰ電話装置１は、通話中に外部接続ポートインターフェース７に接続されたタブレットで表示部５のタッチパネルを利用して描かれた図の画像データやマウスを使用して描かれた図の画像データを、当該通話中に当該通話の相手先に送信している。
【００３２】
したがって、例えば、会話中に音声だけでは、相手先に伝えにくい内容であっても、当該会話中に即座に必要な画像を描いて送信することで、内容を容易に伝えることができ、より一層利用性を向上させることができる。
【００３３】
また、本実施例のＩＰ電話装置１は、外部接続ポートインターフェース７にＵＳＢ、パラレルケーブル、無線等で接続されたデジタルスチルカメラ、カメラ付き携帯電話等の撮影機能を有する装置から取り込んだ画像データ、外部接続ポートインターフェース７に挿入された撮影装置で撮影された画像データを記憶するフラッシュメモリ等の記憶媒体等から画像データを取り込んでＲＡＭ３に保存し、その後、ＲＡＭ３から当該画像データを読み出して、相手先にパケット送信する。
【００３４】
したがって、例えば、通話中に撮影した画像等を通話中に送信することができ、利用性をより一層向上させることができる。
【００３５】
さらに、本実施例のＩＰ電話装置１は、通話中に送受信した画像データをＨＤＤ４に蓄積している。
【００３６】
したがって、必要な画像データを保存して再利用とすることができ、利用性をより一層向上させることができる。
【００３７】
また、本実施例のＩＰ電話装置１は、通話中に送受信した画像データを暗号化してＨＤＤ４に蓄積している。
【００３８】
したがって、ＨＤＤ４内の画像データを、例えば、ハッキング等から防止することができ、機密性を確保することができる。
【００３９】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００４０】
本発明は、通常のＩＰ電話装置やＩＰアダプタ装置に適用することができる。
【図面の簡単な説明】
【００４１】
【図１】本発明のＩＰ電話装置の一実施例を適用したＩＰ電話装置の概略ブロック構成図。
【図２】図１のＩＰ電話装置による通話中の画像送信処理を示すフローチャート。
【符号の説明】
【００４２】
１  ＩＰ電話装置
２  ＩＰ電話基幹部
３  ＲＡＭ
４  ＨＤＤ
５  表示部
６  暗号付与部
７  外部接続ポートインターフェース
８  バス
１０  外部入力装置
【図１】
2006303759.tif 000003
【図２】
2006303759.tif 000004